(57)【要約】【課題】スマートかつ簡単に必要な照明シーンモードの選択を実現できる端末機器および灯具制御システムを提供する。【解決手段】端末機器は、識別対象を収集する収集ユニットと、前記収集ユニットにより収集された識別対象および、前記識別対象と予め定められた照明シーンモードとの関連を示す予め定められた対応関係に基づいて照明シーンモードマッチングを行うマッチングユニットと、照明装置が制御命令により指示される照明シーンモードに基づいて照明を行うように、前記マッチングユニットの照明シーンモードマッチング結果に基づいて前記照明装置に前記制御命令を送信する送信ユニットとを含む。本開示の端末機器および灯具制御システムによると、よりスマートかつより簡単に必要な照明シーンモードの選択を実現できる。【選択図】図２
2019121608.tif 000002
【特許請求の範囲】
【請求項１】
識別対象を収集する収集ユニットと、
前記収集ユニットにより収集された識別対象および、前記識別対象と予め定められた照明シーンモードとの関連を示す予め定められた対応関係に基づいて照明シーンモードマッチングを行うマッチングユニットと、
照明装置が制御命令により指示される照明シーンモードに基づいて照明を行うように、前記マッチングユニットの照明シーンモードマッチング結果に基づいて前記照明装置に前記制御命令を送信する送信ユニットとを含む
端末機器。
【請求項２】
前記識別対象は指紋である
請求項１に記載の端末機器。
【請求項３】
前記指紋は複数の操作者の指紋を含む
請求項２に記載の端末機器。
【請求項４】
前記指紋は操作者の異なる手の指の指紋を含む
請求項２に記載の端末機器。
【請求項５】
前記識別対象は操作者の顔である
請求項１に記載の端末機器。
【請求項６】
前記操作者の顔は複数の操作者の顔を含む
請求項５に記載の端末機器。
【請求項７】
前記操作者の顔は当該操作者の異なる顔の表情を含む
請求項５に記載の端末機器。
【請求項８】
前記識別対象は物体画像である
請求項１に記載の端末機器。
【請求項９】
前記予め定められた照明シーンモードは読書モード、食事モード、寝室モードおよびシアターモードのうち少なくとも一つを含む
請求項１〜８のいずれか一項に記載の端末機器。
【請求項１０】
請求項１〜９のいずれか一項に記載の端末機器と、
照明装置とを含み、
当該照明装置は、
前記制御命令を受信する受信ユニットと、
前記受信ユニットにより受信された制御命令に基づいて照明シーンモードを選択する灯具制御ユニットと、
前記灯具制御ユニットにより選択された照明シーンモードに基づいて照明を行う照明ユニットとを含む
灯具制御システム。
【発明の詳細な説明】
【技術分野】
【０００１】
本開示は、照明制御分野に関し、特に、端末機器および灯具制御システムに関する。
【背景技術】
【０００２】
従来の照明制御方式では、主にスイッチ、リモコンあるいはＡＰＰ（アプリケーションプログラム）の仮想キーなどで照明の制御を行う。例えば、住宅照明における従来の照明制御方式では、各々が適切なあるいは操作者が好む照明方式を示す異なる照明シーンが設定されている場合に、異なる操作者は自己の好みあるいは使用環境に基づいてどのような照明方式を使用するかを決定する必要がある。操作者はシーンモード選択インターフェースに入った後、指スライド選択あるいはクリックによりＡＰＰ中のシーン設定を決定し照明制御を実現する。
【発明の概要】
【発明が解決しようとする課題】
【０００３】
しかし、このような照明制御方式はスマート化が不十分であり、簡素化も不十分である。
【課題を解決するための手段】
【０００４】
この点に鑑みて、本開示で提供する端末機器は、識別対象を収集する収集ユニットと、前記収集ユニットにより収集された識別対象および、前記識別対象と予め定められた照明シーンモードとの関連を示す予め定められた対応関係に基づいて照明シーンモードマッチングを行うマッチングユニットと、照明装置が制御命令により指示される照明シーンモードに基づいて照明を行うように、前記マッチングユニットの照明シーンモードマッチング結果に基づいて前記照明装置に前記制御命令を送信する送信ユニットとを含む。
【０００５】
前記端末機器について、実施可能な形態において、前記識別対象は指紋である。
【０００６】
前記端末機器について、実施可能な形態において、前記指紋は複数の操作者の指紋を含む。
【０００７】
前記端末機器について、実施可能な形態において、前記指紋は操作者の異なる手の指の指紋を含む。
【０００８】
前記端末機器について、実施可能な形態において、前記識別対象は操作者の顔である。
【０００９】
前記端末機器について、実施可能な形態において、前記操作者の顔は複数の操作者の顔を含む。
【００１０】
前記端末機器について、実施可能な形態において、前記操作者の顔は当該操作者の異なる顔の表情を含む。
【００１１】
前記端末機器について、実施可能な形態において、前記識別対象は物体画像である。
【００１２】
前記端末機器について、実施可能な形態において、前記予め定められた照明シーンモードは読書モード、食事モード、寝室モードおよびシアターモードのうち少なくとも一つを含む。
【発明の効果】
【００１３】
本開示の他の観点によると、提供される灯具制御システムは、前記の端末機器と、照明装置とを含み、それは、前記制御命令を受信する受信ユニットと、前記受信ユニットにより受信された制御命令に基づいて照明シーンモードを選択する灯具制御ユニットと、前記灯具制御ユニットにより選択された照明シーンモードに基づいて照明を行う照明ユニットとを含む。
【００１４】
本開示の実施例の端末機器および灯具制御システムによると、識別対象を識別し、識別された識別対象と照明シーンモードとをマッチングすることにで、よりスマートかつより簡単に必要な照明シーンモードの選択を実現でき、これによりユーザ体験が向上する。
【００１５】
以下図面を参照して例示的な実施例の詳細な説明に基づき、本開示の他の特徴および観点を明確にする。
【図面の簡単な説明】
【００１６】
明細書に含まれかつ明細書の一部を構成する図面は明細書とともに本開示の例示的な実施例、特徴および観点を示し、本開示の原理を説明するためのものである。
【図１】図１は、従来の住宅照明制御方式を示す図である。
【図２】図２は、本開示の一実施例における端末機器の構成を示すブロック図である。
【図３】図３は、本開示の一実施例の端末機器の応用シーンを示す図である。
【図４】図４は、本開示の他の一実施例の端末機器の応用シーンを示す図である。
【図５】図５は、本開示のさらに他の一実施例の端末機器の応用シーンを示す図である。
【図６】図６は、本開示の一実施例における灯具制御システムの構成を示すブロック図である。
【発明を実施するための形態】
【００１７】
以下、図面を参照して本開示の例示的な各実施例、特徴および観点を詳細に説明する。図面において同じ符号は機能が同じまたは類似する要素を示す。図面において実施例の各観点を示すが、特に指示しない限り、縮尺どおりに描く必要はない。
【００１８】
ここで「例示的」という用語は「例、実施例または説明的に用いられる」ことを意味する。ここで「例示的」として説明される如何なる実施例も他の実施例よりも好ましいまたは有利なものとして解釈されるべきではない。
【００１９】
また、本開示をより良く説明するために、下記の具体的な実施の態様において多くの具体的な詳細を示す。当業者は、これら具体的な詳細に関わらず、本開示は同様に実施可能であると理解すべきである。一部の実施例において、本開示の趣旨を明確にするために、当業者にとって周知の方法、手段、要素および回路について詳細な説明は行わない。
【００２０】
本開示は、主に、例えば指紋、顔および物体画像などといった識別対象を用いて照明シーン設定を行う端末機器および灯具制御システムを説明しており、これにより、さらにスマートかつさらに簡単に操作者の好むあるいは適切な照明シーンが得られる。以下、主に、住宅照明を例に本開示の端末機器および灯具制御システムを説明する。しかし、当業者にとって、本開示の端末機器および灯具制御システムは同様にオフィス照明および屋外照明などに適用されることは周知である。また、以下、主に、スマートフォンを例として本開示の端末機器を説明する。しかし、当業者にとって、本開示の端末機器は同様にタブレットコンピュータ、スマートウォッチ、スマートブレスレットおよびパソコンなどの任意の適する機器に適用されることは周知であり、当該機器が指紋識別、顔識別あるいは物体画像識別の機能を有すればよい。
【００２１】
まず、従来の照明制御方式を説明する。
【００２２】
従来の住宅照明制御方式において、例えばスマートフォンの特定のＡＰＰに異なる照明シーンモードが設定されている。各シーンモードは、適切なあるいは操作者が好む照明方式を示している。異なる操作者は、自己の好みあるいは使用環境に基づいてどの照明方式を用いるかを決定する。操作者は、ＡＰＰを起動した後、照明シーンモード選択画面に入り、その後、指スライドにより当該ＡＰＰ中の照明シーンモードを選択することで、必要な照明シーンモードに対する選択を実現することができる。
【００２３】
図１は従来の住宅照明制御方式を示す図である。図１に示されるように、操作者は、まず、必要な照明シーンモードを判断した後、スマートフォン上で特定のＡＰＰを起動し、照明シーンモード選択画面に入り、その後、指スライドにより必要な照明シーンモードを選択する。図１に示されるように、当該ＡＰＰにおいて、「読書モード」、「食事モード」、「寝室モード」、「シアターモード」、「私の好み」および「母のライト」といった照明シーンモードが設定されている。
【００２４】
このように、操作者は、照明シーンモード選択画面上に表示されたこれらの照明シーンモードから必要な照明シーンモードを選択することができる。
【００２５】
しかし、前記照明シーンモード選択方式はスマート化が不十分であり、簡素化も不十分である。
【００２６】
そこで、本発明者は端末機器および灯具制御システムを提供し、以下、その具体的な構成および機能を説明する。
【００２７】
図２は本開示の一実施例における端末機器の構成を示すブロック図である。図２に示すように、端末機器１は、識別対象を収集する収集ユニット１０と、収集ユニット１０により収集された識別対象および、識別対象と予め定められた照明シーンモードとの関連を示す予め定められた対応関係に基づいて照明シーンモードマッチングを行うマッチングユニット２０と、照明装置が制御命令により指示される照明シーンモードに基づいて照明を行うように、前記マッチングユニット２０の照明シーンモードマッチング結果に基づいて前記照明装置に前記制御命令を送信する送信ユニット３０とを含む。
【００２８】
以下、端末機器１の各ユニットを具体的に説明する。
【００２９】
収集ユニット１０は例えば端末機器１上の指紋収集モジュールでもよい。このような場合、前記識別対象は操作者の指紋である。本開示の端末機器１を用いて照明シーン制御を行う前に、操作者は予め端末機器１上に操作者の指紋と照明シーンモードとの対応関係を設定する必要がある。操作者は予め指紋収集モジュールを用いてその指紋を収集し、端末機器１上に指紋収集モジュールにより収集された指紋と照明シーンモードとの対応関係を確立する。例えば、住宅照明において、操作者は予め指紋収集モジュールによりその異なる手の指の指紋を収集し、これらの指紋をそれぞれ照明シーンモードと関連付けることにより、指紋と照明シーンモードとの対応関係を確立することができる。具体的には、照明シーンモードは、例えば、読書モード、食事モード、寝室モードおよびシアターモードなどを含み、操作者は端末機器１上で、その親指の指紋と読書モードとを関連付け、人差し指の指紋と食事モードとを関連付け、中指の指紋と寝室モードとを関連付け、および薬指の指紋とシアターモードとを関連付けることなどができる。すなわち、指紋と照明シーンモードとの対応関係が確立する。
【００３０】
当該対応関係を確立した後、操作者はその指紋を用いて端末機器１上でよりスマートかつより簡単に照明シーンモードを選択することができる。具体的には、操作者はＡＰＰを起動し指紋収集モジュールをオンすることにより、端末機器１（例えばスマートフォン）上に指紋収集画面を表示し、これにより操作者は、その指紋が収集されるように、対応する指を当該指紋収集画面上に置くことができる。対応する指紋が収集された後、端末機器１のマッチングユニット２０は収集された指紋および予め記憶した対応関係に基づいて照明シーンモードマッチングを行う。マッチング結果が得られた後、端末機器１の送信ユニット３０は照明シーンモードマッチング結果に基づいて照明装置に制御命令を送信し、照明装置は当該制御命令により指示される照明シーンモードに基づいて照明を行う。
【００３１】
例えば、操作者が読書モードを用いる必要があると、親指を指紋収集画面に置き、その親指の指紋が収集される。操作者の親指の指紋が収集された後、マッチングユニット２０は収集された親指の指紋および指紋と照明シーンモードの対応関係に基づいて、操作者が用いる必要がある読書モードを特定し、その後、送信ユニット３０は使用するための読書モードを含む制御命令を照明装置に送信する。照明装置が当該制御命令を受信した後、読書モードにより照明を行う。
【００３２】
前記説明によると、前記予め定められた対応関係において、手の指の指紋と照明シーンモードの関連は一対一で対応する。しかし、本開示はこれに限らず、手の指の指紋は任意の複数の照明シーンモードに対応してもよい。例えば、操作者の親指を読書モードおよび食事モードに同時に対応させることができる。それに対応して、操作者が読書モードを用いる必要がある場合、その親指の指紋が収集されてもよい。その親指の指紋が収集された後、読書モードと食事モードの両者が同時に現れ、この時、操作者はさらにスライドまたはクリックを行い必要な読書モードを選択すればよい。
【００３３】
前記説明によると、一人の操作者の異なる手の指の指紋に対し異なる照明シーンモードをマッチングする。しかし、本開示はこれに限らない。異なる操作者に対し異なる照明シーンモードをマッチングしてもよい。例えば、住宅照明において、各家族メンバーに対し、各家族メンバーに対応する照明シーンモードをそれぞれ設定してもよい。各家族メンバーの好みに基づいて対応する照明シーンモードを設定してもよい。例えば、照明シーンモードをそれぞれ「私の好み」、「母のライト」および「父のライト」などと名付けることができる。その後、各家族メンバーの指紋を収集し、各指紋と対応する照明シーンモードとを関連付ける、すなわち、各家族メンバーの指紋とその好みの照明シーンモードとの対応関係を確立する。このように、家族メンバーにおいて、「母」が照明を用いる必要がある場合、指紋収集モジュールを起動することにより、端末機器１（例えばスマートフォン）上に指紋収集画面を表示し、これにより「母」は対応する指を当該指紋収集画面上に置き、その指紋が収集される。対応する指紋が収集された後、端末機器１のマッチングユニット２０は収集された指紋および予め記憶した対応関係に基づいて照明シーンモードマッチングを行う。マッチング結果が得られた後、端末機器１の送信ユニット３０は照明シーンモードマッチング結果に基づいて照明装置に制御命令を送信し、照明装置は当該制御命令により指示される照明シーンモードに基づいて照明を行う。
【００３４】
このように、一人の操作者の異なる指に対して異なる照明シーンモードをマッチングするだけでなく、異なる操作者に対して異なる照明シーンモードをマッチングすることで、よりスマートかつより簡単な照明制御を実現できる。
【００３５】
図３は本開示の一実施例の端末機器の応用シーンを示す図である。当該応用シーンにおいて、「読書モード」、「食事モード」、「寝室モード」、「シアターモード」、「私の好み」および「母のライト」といった照明シーンモードが予め設定されている。ここで、各照明シーンモードについて、以下のように具体的に説明する。
【００３６】
「読書モード」について、例えば書斎シーリングライトおよび電気スタンドを点灯し、書斎シーリングライトの色温度および輝度をそれぞれ６２００Ｋおよび５０％に設定し、電気スタンドの色温度および輝度をそれぞれ６２００Ｋおよび１００％に設定する。「食事モード」について、例えばリビングシーリングライトおよびダイニングペンダントライトを点灯し、リビングシーリングライトの色温度および輝度をそれぞれ２７００Ｋおよび１０％に設定し、ダイニングペンダントライトの色温度および輝度をそれぞれ３０００Ｋおよび１００％に設定する。「寝室モード」について、例えば寝室シーリングライト、ベッドライトおよび寝室ダウンライトを点灯し、寝室シーリングライトの色温度および輝度をそれぞれ２７００Ｋおよび１０％に設定し、ベッドライトの色温度および輝度をそれぞれ３０００Ｋおよび１００％に設定し、寝室ダウンライトの色温度および輝度をそれぞれ３０００Ｋおよび３０％に設定する。「シアターモード」について、例えばテレビバックライト、リビングシーリングライトおよびスピーカーライトを点灯し、テレビバックライトの色温度および輝度をそれぞれ３０００Ｋおよび１００％に設定し、リビングシーリングライトの色温度と輝度をそれぞれ３０００Ｋおよび５％に設定し、スピーカーライトの色温度および輝度をそれぞれ３０００Ｋおよび５％に設定する。「私の好み」について、例えばテレビバックライト、リビングシーリングライト、スピーカーライトおよびダイニングダウンライトを点灯し、テレビバックライトの色温度および輝度をそれぞれ３０００Ｋおよび３０％に設定し、リビングシーリングライトの色温度および輝度をそれぞれ５０００Ｋおよび５０％に設定し、スピーカーライトの色温度および輝度をそれぞれ３０００Ｋおよび７０％に設定し、ダイニングダウンライトの色温度および輝度をそれぞれ４０００Ｋおよび３０％に設定する。「母のライト」について、例えばリビングシーリングライトおよびリビングダウンライトを点灯し、リビングシーリングライトの色温度および輝度をそれぞれ５０００Ｋおよび７０％に設定し、リビングダウンライトの色温度および輝度をそれぞれ５０００Ｋおよび５０％に設定する。
【００３７】
以上の照明シーンモードのタイプは例に過ぎず、任意の他の適切な照明シーンモードを設定してもよい。また、各照明シーンモードに対し設けられる照明装置の組合せおよび各照明装置の色温度と輝度の設定値は例に過ぎず、各照明シーンモードに対し任意の他の適切な照明装置の組合せおよび色温度と輝度の設定値を設けてもよい。
【００３８】
また、予め一人の操作者の異なる手の指の指紋および／あるいは複数の操作者の指紋に対しこれらの照明シーンモードとの対応関係を確立する。
【００３９】
このように、これらの照明シーンモードおよび指紋と照明シーンモードとの対応関係を設けた後、操作者が対応する指紋を入力することにより、端末機器は当該指紋にマッチする照明シーンモードを自動で特定し、対応する照明装置を点灯し、これらの照明装置は予め設定された色温度および輝度で照明を行う。
【００４０】
このように、操作者は対応する指紋を入力することで、よりスマートかつより簡単に必要な照明シーンモードの選択を実現できる。
【００４１】
以上の説明により、収集ユニット１１０は指紋収集モジュールである。しかし、収集ユニット１１０は端末機器１上の撮像ユニット（例えばスマートフォンにおけるカメラ）でもよい。このような場合、識別対象は操作者の顔あるいは物体画像でもよい。
【００４２】
識別対象が操作者の顔である場合、同様に、本開示の端末機器１を用いて照明シーン制御を行う前に、操作者は予め操作者の顔と照明シーンモードとの対応関係を設定する必要がある。操作者は予め撮像ユニットを用いてその顔を撮影し、端末機器１上で各操作者の顔と照明シーンモードとの対応関係を確立してもよい。例えば、住宅照明において、各家族メンバーに対し、それぞれ顔により各家族メンバーに対応する照明シーンモードを設定してもよい。例えば、照明シーンモードをそれぞれ「私の好み」、「母のライト」および「父のライト」などと名付けることができる。その後、各家族メンバーの顔を撮影し、各顔と対応する照明シーンモードとを関連付ける、すなわち、各家族メンバーの顔とその好みの照明シーンモードとの対応関係を確立する。このように、家族メンバーにおいて、例えば、「父」が照明シーンを用いる必要がある場合、対応するＡＰＰを起動し、カメラをオンし、その顔を撮影することにより、「父」の顔を取得することができる。「父」の顔が撮影された後、端末機器１のマッチングユニット２０は撮影した顔に基づいて顔を識別し、識別された顔および予め記憶した対応関係に基づいて照明シーンモードマッチングを行う。マッチング結果が得られた後、端末機器１の送信ユニット３０は照明シーンモードマッチング結果に基づいて照明装置に制御命令を送信し、照明装置は当該制御命令により指示される照明シーンモードに基づいて照明を行う。
【００４３】
なお、前記の顔識別技術は任意の周知の顔識別技術を用いてもよい。
【００４４】
前記の説明によると、異なる操作者の顔を用いて照明シーン制御を行ってもよい。しかし、本開示はこれに限らない。同一操作者の顔の異なる表情を用いて照明シーン制御を行ってもよい。このような場合、操作者は予め撮像ユニットを用いて操作者の顔の異なる表情を撮影し、端末機器１上で撮影された顔の表情と照明シーンモードとの対応関係を確立してもよい。例えば、操作者は予めスマートフォンのカメラを用いてその顔の異なる表情を撮影し、これらの顔の表情をそれぞれ照明シーンモードと関連付けることにより、顔の表情と照明シーンモードとの対応関係を確立してもよい。具体的には、例えば、操作者は端末機器１上で「大笑い表情」と読書モードとを関連付け、「微笑表情」と食事モードとを関連付け、「あくびをした表情」と寝室モードとを関連付けてもよい。このように、顔の表情と照明シーンモードとの対応関係が確立する。
【００４５】
当該対応関係が確立した後、操作者はその顔の表情を用いて端末機器１上でよりスマートかつより簡単に照明シーンモードを選択することができる。具体的には、操作者は対応するＡＰＰを起動し撮像ユニットをオンすることにより、対応する顔の表情を撮影することができる。対応する顔の表情が撮影された後、端末機器１のマッチングユニット２０は撮影された顔の表情および予め記憶した対応関係に基づいて照明シーンモードマッチングを行う。マッチング結果が得られた後、端末機器１の送信ユニット３０は照明シーンモードマッチング結果に基づいて照明装置に制御命令を送信し、照明装置は当該制御命令により指示される照明シーンモードに基づいて照明を行う。
【００４６】
このように、複数の操作者の顔に対し異なる照明シーンモードをマッチングするだけでなく、一人の操作者の顔の表情に対し異なる照明シーンモードをマッチングすることで、よりスマートかつより簡単な照明制御を実現できる。
【００４７】
図４は本開示の他の一実施例の端末機器の応用シーンを示す図である。当該応用シーンにおいて、同様に「読書モード」、「食事モード」、「寝室モード」、「シアターモード」、「私の好み」および「母のライト」といった照明シーンモードが予め設定されてもよい。ここで、各照明シーンモードについて、設けられた照明装置の組合せおよび色温度と輝度の設定値は図３が示す対応する照明シーンモードと同じでもよく、図３が示す対応する照明シーンモードと異なってもよい。
【００４８】
このように、これらの照明シーンモードおよび顔と照明シーンモードとの対応関係を設定した後、操作者の顔を撮影することにより、端末機器は当該顔にマッチする照明シーンモードを自動で特定し、マッチする照明シーンモードに基づいて対応する照明装置を点灯し、これらの照明装置は予め設定された色温度および輝度で照明を行うことができる。
【００４９】
このように、操作者はその顔によって、よりスマートかつより簡単に必要な照明シーンモードの選択を実現できる。
【００５０】
また、収集ユニット１１０が撮像ユニットである場合、識別対象は物体画像でもよい。
【００５１】
識別対象が物体画像である場合、同様に、本開示の端末機器１を用いて照明シーン制御を行う前に、操作者は予め物体画像と照明シーンモードとの対応関係を設定する必要がある。操作者は予め撮像ユニットを用いて異なる物体画像を撮影し、端末機器１上で撮影された物体画像と照明シーンモードとの対応関係を確立してもよい。例えば、住宅照明において、撮像ユニットを用いて机、食卓、ベッド、テレビ、私の写真および母の写真などの物体画像を撮影し、これらの物体画像と照明シーンモードとの対応関係を設定してもよい。例えば、机の画像と「読書モード」とを関連付け、食卓の画像と「食事モード」とを関連付け、ベッドの画像と「寝室モード」とを関連付け、テレビの画像と「シアターモード」とを関連付け、私の写真と「私の好み」とを関連付け、母の写真と「母のライト」とを関連付ける。
【００５２】
このように、例えば「食事モード」を用いる必要がある場合、対応するＡＰＰを起動し、カメラをオンし、食卓の画像を撮影してもよい。食卓の画像を撮影した後、端末機器１のマッチングユニット２０は撮影された物体画像および予め記憶した対応関係に基づいて照明シーンモードマッチングを行う。マッチング結果が得られた後、端末機器１の送信ユニット３０は照明シーンモードマッチング結果に基づいて照明装置に制御命令を送信し、照明装置は当該制御命令により指示される照明シーンモードに基づいて照明を行う。
【００５３】
このように、物体画像を撮影（識別）することで、よりスマートかつより簡単な照明制御を実現できる。
【００５４】
図５は本開示のさらに他の一実施例の端末機器の応用シーンを示す図である。当該応用シーンにおいて、同様に「読書モード」、「食事モード」、「寝室モード」、「シアターモード」、「私の好み」および「母のライト」といった照明シーンモードが予め設定されてもよい。ここで、各照明シーンモードについて、設けられた照明装置の組合せおよび色温度と輝度の設定値は図３または図４が示す対応する照明シーンモードと同じでもよく、図３または図４が示す対応する照明シーンモードと異なってもよい。
【００５５】
このように、これらの照明シーンモードおよび物体画像と照明シーンモードとの対応関係を設定した後、物体画像を撮影することにより、端末機器は当該物体画像にマッチする照明シーンモードを自動で特定し、マッチする照明シーンモードに基づいて対応する照明装置を点灯し、これらの照明装置は予め設定された色温度および輝度で照明を行うことができる。
【００５６】
なお、前記説明によると、識別対象は指紋、顔または物体画像である。しかし、本開示はこれに限らず、識別対象は操作者の声または操作者の動作などでもよい。例えば、予め操作者の異なる声または動作と照明シーンモードとを関連付け、その後、操作者の声または動作に基づいて異なるシーンモードをマッチングしてもよい。その原理は識別対象が指紋、顔または物体画像である場合と基本的に同じであるので、ここで具体的な説明は行わない。
【００５７】
図６は本開示の一実施例における灯具制御システムの構成を示すブロック図である。図６に示されるように、灯具制御システム３は前記の端末機器１および照明装置２を含む。
【００５８】
ここで、端末機器１は前記の収集ユニット１０、マッチングユニット２０および送信ユニット３０を含む。収集ユニット１０、マッチングユニット２０および送信ユニット３０の具体的機能の詳細は前記のとおりである。
【００５９】
照明装置２は、送信ユニット３０から送信された制御命令を受信する受信ユニット４０と、前記受信ユニット４０により受信された制御命令に基づいて照明シーンモードを選択する灯具制御ユニット５０と、前記灯具制御ユニット５０により選択された照明シーンモードに基づいて照明を行う照明ユニット６０とを含む。ここで、照明装置２は前記のリビングシーリングライト、ダイニングペンダントライト、書斎シーリングライト、電気スタンド、テレビバックライト、スピーカーライトなどでもよい。受信ユニット４０はＷＩＦＩモジュール、ブルートゥース（登録商標）モジュールおよび近距離通信モジュールなどでもよい。照明ユニット６０はこれらの灯具中の発光モジュール、例えば発光ダイオード（ＬＥＤ）などでもよい。
【００６０】
具体的には、照明装置２の受信ユニット４０は端末機器１の送信ユニット３０により送信された制御命令を受信し、当該制御命令は選択された照明シーンモードを示す情報を含み、照明シーンモードは端末機器１のマッチングユニット２０が、収集された識別対象（指紋、顔および物体画像など）および当該識別対象と予め定められた照明シーンモードとの対応関係に基づいて照明シーンモードマッチングを行うことで得られたものである。当該制御命令を受信した後、照明装置２の灯具制御ユニット５０は当該制御命令に基づいて対応する照明シーンモードを選択する。その後、照明ユニット６０は選択された照明シーンモードに基づいて照明を行う。
【００６１】
このように、本開示の実施例の端末機器および灯具制御システムによると、識別対象を識別し、識別された識別対象と照明シーンモードとをマッチングすることで、よりスマートかつより簡単に必要な照明シーンモードの選択を実現でき、これによりユーザ体験が向上する。
【００６２】
以上、本開示の各実施例を説明したが、上述の説明は例示的であり、網羅的ではなく、かつ開示された各実施例に限定されるものでもない。説明された各実施例の範囲及び趣旨を超えない場合、当業者にとって多くの修正および変更はいずれも自明である。本文で用いられる用語の選択は、各実施例の原理、実際の適用または市場における技術の技術改良を最適に説明するため、あるいは当業者が本文により開示される各実施例を理解するためのものである。
【図１】
2019121608.tif 000003
【図２】
2019121608.tif 000004
【図３】
2019121608.tif 000005
【図４】
2019121608.tif 000006
【図５】
2019121608.tif 000007
【図６】
2019121608.tif 000008